(57)【要約】【課題】従来の撮影状態に於けるカメラの傾きを視認するための水準器を具えたカメラは、検知手段や表示手段や表示光学系がカメラに組み込まれている為に、着脱不能であり、水準器が必要でない撮影者には不要装備となっていた。又、撮影条件に最適な水準器を適時交換して使用することができなかった。【解決手段】カメラの撮像レンズの結像位置に配置されて被写体像を結像するフォーカシングスクリーンに於いて、前記カメラの傾きを検知する水準器を具えることを特徴とする。【選択図】  図４
2004325789.tif 000002
【特許請求の範囲】
【請求項１】
カメラの撮像レンズの結像位置に配置されて被写体像を結像するフォーカシングスクリーンに於いて、前記カメラの傾きを検知する水準器を具えることを特徴とするフォーカシングスクリーン。
【請求項２】
前記水準器は空洞部と前記空洞部に注入された液体とを有することを特徴とする請求項１に記載のフォーカシングスクリーン。
【請求項３】
前記水準器は前記空洞部の内面が円弧状で且つ細管状の形状を有し、前記被写体像が形成される矩形状の画面の少なくとも一つの辺に沿って配置され、少なくとも一つの方向の前記傾きを検知することを特徴とする請求項２に記載のフォーカシングスクリーン。
【請求項４】
前記水準器は前記画面の互いに垂直な二つの辺の各々に沿って配置され、一方の水準器が一つの方向の前記傾きを、他方の水準器が他の方向の前記傾きを検知することを特徴とする請求項３に記載のフォーカシングスクリーン。
【請求項５】
前記水準器は前記空洞部の内面に欠球形状部分を有し、前記被写体像が形成される画面の領域に亘って拡がった形状を有することを特徴とする請求項２に記載のフォーカシングスクリーン。
【請求項６】
前記水準器が設けられた部分を除いて、結像した前記被写体像光を拡散させる拡散面が形成され、前記水準器が設けられた部分には光を透過させる透過面が形成されていることを特徴とする請求項２〜４何れか１項に記載のフォーカシングスクリーン。
【請求項７】
前記水準器を照明する照明手段を具えることを特徴とする請求項１〜６何れか１項に記載のフォ−カシングスクリ−ン。
【請求項８】
前記水準器が、前記フォーカシングスクリーンの端部に設けられた凹部に挿着されることを特徴とする請求項３、４、６、７何れか１項に記載のフォ−カシングスクリ−ン。
【請求項９】
外部から前記空洞部へ貫通する開口部から液体を注入し、その後前記開口部を封止して成ることを特徴とする請求項２〜７何れか１項に記載のフォ−カシングスクリ−ン。
【発明の詳細な説明】
【０００１】
【発明の属する技術分野】
本発明は、カメラの撮像レンズの結像位置に配置されるフォーカシングスクリーンに関する。
【０００２】
【従来の技術】
ファインダー内で被写体を見ながらカメラの水平状態を視認する為に、従来よりいくつかの方法が提案されてきた。
【０００３】
従来最も多く採られてきたのは、被写体像を結像するフォーカシングスクリーンに格子線を刻む方法である。この方法は、この格子線を被写体像と重ね合わせて観察し、格子線を被写体像の水平線又は鉛直線と合わせることによって、水平状態を視認する。
【０００４】
又、カメラに水準器を設けてその水平状態を視認するものとしては次のようなものが提案されてきた。
【０００５】
一つはファインダ−光学系の外部に水準器を配置し、ミラ−を組み合わせた光学系を用い、ファインダー内視野又はファインダー内視野近傍で水準器の像を観察可能にする方法である。（例えば、特許文献１〜３参照。）
又、傾き検知手段と、ファインダ−内に傾き表示手段とを設けたカメラがある。（例えば、特許文献４、５参照。）
【０００６】
【特許文献１】
特開平０８−１７１１３２号公報
【特許文献２】
特開平１０−４８７３１号公報
【特許文献３】
特開平１０−５１６６７号公報
【特許文献４】
特開平１０−３０７３２３号公報
【特許文献５】
特開２００１−３１８４１７号公報
【０００７】
【発明が解決しようとする課題】
しかしながら、従来の方法には以下のような問題点があった。
【０００８】
フォーカシングスクリーンに格子線を刻む方法では、水平又は鉛直の基準となる直線状の被写体を必要とするため、直線状部分が少ない被写体ではカメラの傾きを検知することが困難である。また、広角レンズによる強い遠近感が生じている場合等のように、撮影者がファインダー内で観察する被写体像に何らかの歪みが生じている場合にも、傾きを検知することは困難である。また、格子線を刻む方法では被写体と格子との相対的な比較で水平や鉛直に対する傾きを検知するため、被写体自体の方向とは無関係に矩形画面の一方の辺を水平に合わせたい場合には不適である。
【０００９】
水準器を配置して光学系を用い、ファインダー内視野又はファインダー内視野近傍で水準器像を観察可能にする方法では、光路の引き回しに新たに光学部品が必要となるので、部品点数が多く、コストアップや重量増を招く。また、水準器や光学系がカメラの本体に組み込まれて一体化して、取り外し不能となってしまっているので、水準器による傾き検知が不要なユ−ザにとっては水準器や光学系が無駄な、更には邪魔な部品になっていた。又、種々の撮影条件に応じて各々に適した特性の水準器を用いることが出来なかった。
【００１０】
又、傾き検知手段と、ファインダ−内に傾き表示手段とを設ける方法では、ファインダー内に新たに設けた表示素子に傾きに関する情報を表示しなければならないが、小型カメラでは表示スペースが少ないため傾き表示専用の表示素子を設けることは困難である。他の撮影情報を表示する表示素子に傾きに関する情報を一緒に表示する場合、本来の他の撮影情報の表示にスペース的な制約が生じてしまう。又、この方法では、傾き検知手段と傾き表示手段との両方を具える必要があるので、光学系を具える場合と同様に部品点数が多く、コストアップや重量増を招く。又、傾き検知手段と傾き表示手段との連動などを考えると、傾き検知手段と傾き表示手段とを着脱可能にすることは困難であるため、水準器による傾き検知が不要なユ−ザにとっては傾き検知手段や傾き表示手段が無駄な、更には邪魔な部品になっていた。又、種々の撮影条件に応じて各々に適した水準器を用いることが出来なかった。
【００１１】
本発明は以上の課題の少なくとも一つを解決し、傾きの検出が可能な水準器を設けたフォーカシングスクリーンを提供することである。
【００１２】
【課題を解決する為の手段】
以上の課題を解決する為に、本発明の第１の態様は、カメラの撮像レンズの結像位置に配置されて被写体像を結像するフォーカシングスクリーンに於いて、前記カメラの傾きを検知する水準器を具えるものである。
【００１３】
本発明の第２の態様は、第１の態様であって、前記水準器は空洞部と前記空洞部に注入された液体とを有するものである。
【００１４】
本発明の第３の態様は、第２の態様であって、前記水準器は前記空洞部の内面が円弧状で且つ細管状の形状を有し、前記被写体像が形成される矩形状の画面の少なくとも一つの辺に沿って配置され、少なくとも一つの方向の前記傾きを検知するものである。
【００１５】
本発明の第４の態様は、第３の態様であって、前記水準器は前記画面の互いに垂直な二つの辺の各々に沿って配置され、一方の水準器が一つの方向の前記傾きを、他方の水準器が他の方向の前記傾きを検知するものである。
【００１６】
本発明の第５の態様は、第２の態様であって、前記水準器は前記空洞部の内面に欠球形状部分を有し、前記被写体像が形成される画面の領域に亘って拡がった形状を有するものである。
【００１７】
本発明の第６の態様は、第２〜４何れかの態様であって、前記水準器が設けられた部分を除いて、結像した前記被写体像光を拡散させる拡散面が形成され、前記水準器が設けられた部分には光を透過させる透過面が形成されているものである。
【００１８】
本発明の第７の態様は、第１〜６何れかの態様であって、前記水準器を照明する照明手段を具えるものである。
【００１９】
本発明の第８の態様は、第３、４、６、７何れかの態様であって、前記水準器が、前記フォーカシングスクリーンの端部に設けられた凹部に挿着されるものである。
【００２０】
本発明の第９の態様は、第２〜第７の何れかの態様であって、外部から前記空洞部へ貫通する開口部から液体を注入し、その後前記開口部を封止して成るものである。
【００２１】
【発明の実施の形態】
以下本発明の実施の形態を図を参照して説明する。
【００２２】
図１１は、本発明の実施の形態に係わるフォ−カシングスクリ−ン１を有するカメラの概略図である。
【００２３】
撮像レンズ８を透過した光は、ミラ−７によって反射され、フォーカシングスクリーン１上に結像する。フォーカシングスクリーン１の位置は、撮影フィルム等の撮像媒体（不図示）が位置する撮像面６と光学的に等価であるので、被写体像がフォーカシングスクリーン１上に結像しているときにミラー７をはね上げると、被写体像は撮像面６にある撮像媒体に結像し、記録され、被写体の撮影を行なうことが出来る。フォーカシングスクリーン１上に結像された被写体像は、ペンタプリズム２によって接眼レンズ３に導かれ、撮影者の瞳４に投影される。
【００２４】
フォーカシングスクリーン１は、着脱機構を有する保持部材５によって、カメラ本体に対して着脱可能に保持され、撮影目的に応じて各種の機能を持つフォーカシングスクリーンに交換可能である。
［第一実施形態］
図１は、本実施形態のフォーカシングスクリーンを示す平面図であり、図２は、図１に示されるフォーカシングスクリーン１の長辺方向水準器９を長手方向に切断した断面図を、図３は、フォーカシングスクリーン１の長手方向水準器９を長手方向に垂直に切断した断面図を示す。又、図４は本実施形態のフォーカシングスクリーン１の斜視図を示す。
【００２５】
図１を参照して、本実施形態のフォーカシングスクリーン１には、矩形画面の長辺方向水準器９と、短辺方向水準器１１とが、それぞれ１つずつ設けられている。長辺方向水準器９と短辺方向水準器１１の各々には、内面が所定の曲率を有する細管状の空洞部（不図示）が設けられ、長辺方向水準器９には気泡１０が生じ、短辺方向水準器１１には気泡１２が生じるように、所定量の液体が各空洞部に注入されて封止されている。この気泡の位置により水平状態を視認することができる。格子線１３が、フォーカシングスクリーン１の表面に刻まれ、画面の水平、鉛直を視認する補助線の役割を果たす。格子線１３は、又水準器９、１１内の気泡１０、１２の基準位置出しにも用いることができる。尚、水準器は長辺方向か短辺方向のどちらか一方のみに設けても良い。
【００２６】
本実施形態のフォーカシングスクリーン１は、長辺方向水準器９と短辺方向水準器１１が内蔵されて構成される。図２、図３は長辺方向水準器９が内蔵されている様子を示す。図２、図３を参照して、フォーカシングスクリーン１の上面に、長辺方向水準器９と重なる部分を除いて拡散面１６が、長辺方向水準器９の部分には平滑な透明部１４が形成されている。又、フォーカシングスクリーン１の下面にはフレネルレンズ１５が形成されている。図１１に於けるカメラで、撮像レンズ８を透過した光線はフォーカシングスクリーン１下方よりフレネルレンズ１５を透過して拡散面１６上に被写体像を結像する。フレネルレンズ１５は、撮像レンズ８から来る光束を接眼レンズ３の撮影者の瞳４が位置する射出瞳に集光するフィ−ルドレンズの役割を果たし、拡散面１６は、撮像レンズ８によって結像した被写体像光を拡散する。このフレネルレンズ１５と拡散面１６とは合わせて被写体像の観察を容易にする。
【００２７】
図４を参照して、フォーカシングスクリーン１面上の被写体像が形成される画面領域には拡散面１６が形成されている。又、画面の長辺方向には、長辺方向水準器９が、短辺方向には短辺方向水準器１１が、それぞれの辺に沿って内蔵されており、この水準器９、１１が内蔵される部分のフォーカシングスクリーン１面上の領域には、画面領域であっても拡散面１６ではなくて長辺透明部１４および短辺透明部１７がそれぞれ形成されている。このように透明部１４、１７を形成することにより、長辺方向水準器９、短辺方向水準器１１から到来する光は拡散面によって光が拡散されることがなく、透明部１４、１７を真っ直ぐに進むので、撮影者が観察する水準器９、１１の像はぼやけることがなく、くっきりとしている。又、水準器９、１１は被写体像が形成される拡散面１６とほぼ同一面上に、又スクリーン領域内に形成され、観察者は被写体像と共通の接眼光学系によって水準器を観察することができるので、追加的な光学部品が不要であり製造コストが低い。
【００２８】
図４に示される本実施形態のフォーカシングスクリーン１は、又、長辺方向水準器９の近傍に長辺水準器照明用光源１８が、短辺方向水準器１１の近傍に短辺水準器照明用光源１９が各々配置されている。これらの光源１８、１９を点灯すると、光源光はフォーカシングスクリーン１の各端面より入射し、水準器９および１１を照明することが可能である。このような構成にすることにより夜間撮影時などの暗いときにも容易に水平状態を視認することができる。
【００２９】
本実施形態のフォーカシングスクリーン１は、例えば次のような方法で作製することができる。先ず、表面上にフレネルレンズ面を、裏面上の所望の位置に前記細管状の空洞部の内面形状の約半分に対応する形状の第一の凹部を形成した基板と、表面上に拡散面を、裏面上の所望の位置に前記細管状の空洞部の内面形状の残りの半分に対応した形状の第二の凹部を形成した基板とを作製する。次に、双方の基板の裏面を対向させ、基板の裏面上の周縁部に注入口の部分を除いて接着剤を塗布し、前記第一の凹部の位置と前記第二の凹部の位置とが一致するように位置合わせをし、その後貼り合わせる。このようにして前記所望の位置に前記細管状の空洞部と、注入口とを有する基材が作製される。そして、所望の大きさの気泡１０、１２が生じるように、所定量の液体を各注入口から空洞部に注入し、その後封止することによって本実施形態の水準器９、１１を具えるフォーカシングスクリーン１が作製される。
【００３０】
本実施形態のフォーカシングスクリーン１の作製方法は上記方法に限定されるものではない。
【００３１】
図５は、本実施形態のフォーカシングスクリーン１を、図１１に示すカメラに装着した場合のファインダ−内の様子を示す。２７は被写体視野画面を、２０はファインダー内撮影情報画面を示す。被写体視野画面２７には被写体視野画面２７枠に沿って、長辺方向水準器９と短辺方向水準器１１の像が被写体像（不図示）と重ね合わせて表示され、長辺方向水準器の気泡１０と短辺方向水準器の気泡１２の像の位置を格子線１３像に対して観察することによって水平状態を視認することができる。又、撮影情報画面２０には、シャッター速度や絞りの露出制御値、撮影モード、及びフィルム残り枚数等が表示される。
【００３２】
本実施形態のフォーカシングスクリーン１は、矩形画面の長辺及び短辺の各々に沿った細管状の水準器を具えるので、画面の長辺方向と短辺方向それぞれの水平状態を観察可能になる。
【００３３】
又、本実施形態のフォーカシングスクリーン１は、拡散性を有するフォーカシングスクリーンの、水準器と重なる部分を拡散性のない透明な面にしたことによって、フォーカシングスクリーンに内蔵された水準器の気泡が拡散面に遮られることなく明瞭に観察可能であるので、水平状態の視認性が高い。
【００３４】
更に、本実施形態のフォーカシングスクリーン１は、カメラ本体側から、フォ−カシングスクリ−ン１端面に光を投射し水準器を照明することで、暗い被写体を撮影する場合でも、容易に水平状態が観察可能となる。
［第二実施形態］
図８は本実施形態のフォーカシングスクリーンを示す。
【００３５】
本実施形態のフォーカシングスクリーン１は、水準器９、１１が端部に設けられた端面に埋め込まれて設けられている。
【００３６】
図６は、本実施形態のフォーカシングスクリーン１に埋め込まれる長辺方向水準器９を長手方向に切断した断面図である。水準器９は、内面に所定の曲率を有する透明な樹脂又はガラス製の細管状の中空部材に、水準器封止部２１から液体を所定量注入した後、気泡１０を残して封止することによって作製される。
【００３７】
図７は、以上のようにして作製した水準器９、１１を水準器埋め込み用基材２９に埋め込んでフォーカシングスクリーン１を作製する様子を示す。基材２９には、水準器埋め込み用の長辺凹部２２と短辺凹部２３とが予め形成されている。この長辺凹部２２に、長辺方向水準器９を、又、短辺凹部２３に、長辺方向水準器９と同様な方法で作製される短辺方向水準器１１を埋め込み、接着して固定することによって、水準器９、１０を内蔵するフォーカシングスクリーン１が作製される。
【００３８】
本実施形態のフォーカシングスクリーン１は、第一実施形態のフォーカシングスクリーンと同様に、水準器９、１１を照明するための照明用光源を設けても良い。
【００３９】
以上のように、本実施形態のフォーカシングスクリーン１は、スクリーン部分を設けた基材に水準器を挿入可能な凹部を設け、該凹部に細管状の水準器を挿入して接着することによって固定して構成されているので、容易に水準器を内蔵することが可能であり、製造が容易である。
【００４０】
又、本実施形態のフォーカシングスクリーン１は、矩形画面の長辺及び短辺の各々に沿った細管状の水準器を具えるので、画面の長辺方向と短辺方向それぞれの水平状態を観察可能になる。
［第三実施形態］
図１０は、本実施形態のフォーカシングスクリーン１を示す。本実施形態のフォーカシングスクリーン１は被写体像の画面全面に拡がる全画面水準器２６を設けている。
【００４１】
図９は、本実施形態のフォーカシングスクリーン１を作製する方法を示す。本実施形態のフォーカシングスクリーン１は、内面に所望の曲率の面を有する空洞部３２が設けられた基材２９中に注入口２５から液体３１を注入することによって作製される。基材２９は、例えば、次のようにして作製される。先ず、表面上にフレネルレンズ面を裏面上に空洞部３２の一部分の内面形状に対応した面形状を形成した基板と、表面上に拡散面を裏面上に空洞部３２の残りの部分の内面形状に対応した面形状を形成した基板とを作製する。次に、裏面の周縁部に注入口２５を除いて接着剤を塗布し、双方の裏面を対向させ、位置合わせをして貼り合わせることによって作製される。このように作製される基材２９の液体３１の注入口２５と同一の辺には内部に空洞部３２と連通する空気溜まり２４が形成されている。この形成された空洞部３２に注入口２５から液体３１を注入していくと、空気溜まり２４に空気が取り残されたまま空洞部３２が液体３１で充たされる。この後、注入口２５を接着剤３３で封止することによって、常に安定した大きさの気泡を空洞部３２の内部に残すことが可能となる。この空気溜まり２４の容積は必要とする気泡３３の大きさによる。
【００４２】
本実施形態のフォーカシングスクリーン１は、第一実施形態のフォーカシングスクリーンと同様に、水準器２６を照明するための照明用光源を設けても良い。
【００４３】
本実施形態のフォーカシングスクリーン１は、画面全面に亘って全画面水準器２６が形成されているので、１個所の気泡のみを観察すれば、任意の方向の水平状態を観察することができる。
【００４４】
又、本実施形態のフォーカシングスクリーン１は、フォ−カシングスクリ−ン１の液体注入口２５を設けた辺の近傍に、空洞部３２から画面視野外に突出した空気溜まり２４を設け、液体注入口２５から液体を注入し、その後液体注入口２５を封止することによって、容易に一定量の気泡３３を全画面水準器２６に残すことが可能であるので、作製が容易である。
【００４５】
以上説明した本実施形態のフォーカシングスクリーン１の水準器は画面全面に亘って形成されているが、全面ではなくて、例えば画面の中心部分に円形状に設けても良い。この場合にも全画面に設けた場合とほぼ同様な効果がある。
【００４６】
以上、第一〜第三の実施形態の作用効果の説明では各実施形態のフォーカシングスクリーンに固有の作用効果を中心に説明したが、以下に、第一〜第三実施形態のフォーカシングスクリーンに共通の作用効果を述べる。
【００４７】
第一〜第三実施形態のフォーカシングスクリーンをカメラに装着した場合に、ファインダー内で被写体画面を観察しながらに水平状態を視認することができるので、水平状態を容易に視認することができる。
【００４８】
又、第一〜第三実施形態のフォーカシングスクリーンは、図１１で示されるように着脱機構を有する保持部材５によってカメラに保持されるので、第一〜第三実施形態のフォーカシングスクリーンは着脱可能である。
【００４９】
第一〜第三実施形態のフォーカシングスクリーンは着脱可能であるので、このフォーカシングスクリーンを必要な撮影者のみがカメラに取り付けて使用し、不要な撮影者は使用しないことができる。又、着脱可能であるので、必要な撮影条件の場合にのみ使用することができる。
【００５０】
又、第一〜第三実施形態のフォーカシングスクリーンは、容易に、内蔵した水準器の空洞部の内面の曲率を大きくすることにより水準器の水平状態の検出感度を低く、そしてその曲率を小さくすることによって高くすることができる。従って、撮影条件に応じて最適な感度の水準器を設けたフォーカシングスクリーンを選択して取り付けて用いることができる。又、同様に撮影条件に応じて最適な特性（例えば傾き方向）のフォーカシングスクリーンを選択して取り付けて用いることができる。
【００５１】
更に、カメラに第一〜第三実施形態のフォーカシングスクリーン１を装備すると、直接水準器９、１１像、又は全画面水準器２６像を観察することによって水平状態を視認でき、水平状態の視認の為に他の表示部材による画面を用いる必要がない。従って、ファインダ−内撮影情報画面には、撮影情報の表示のみを行うことができる。
【００５２】
又、カメラに第一〜第三実施形態のフォーカシングスクリーン１を装備すると、水準器９、１１、又は全画面水準器２６は被写体像が形成される拡散面１６とほぼ同一面上に、且つ、スクリーン領域内に形成され、観察者は被写体像と共通の接眼光学系によって水準器を観察することができるので、追加的な光学部品が不要であり製造コストが低い。
【００５３】
【発明の効果】
本発明のフォーカシングスクリーンは水準器を設けているので、カメラに装着した場合、ファインダ−内で画面を観察しながら画面の水平状態を視認することができるので、水平状態の視認が容易である。又、被写体像と共通のファインダー光学系で水平状態を視認できるので、カメラに追加的な部品を設ける必要がない。更に、必要に応じて水準器付きのフォーカシングスクリーンを選択してカメラに装着できる為、撮影者の選択の自由度が向上する。
【図面の簡単な説明】
【図１】第一実施形態のフォーカシングスクリーンの正面図である。
【図２】第一実施形態のフォーカシングスクリーンの水準器の長辺方向の断面図である。
【図３】第一実施形態のフォーカシングスクリーンの水準器の短辺方向の断面図である。
【図４】第一実施形態のフォーカシングスクリーンの斜視図である。
【図５】第一実施形態のフォーカシングスクリーンを装着したカメラに於けるファインダ−内の状態を示す。
【図６】第二実施形態のフォーカシングスクリーンに埋め込み用の水準器を示す。
【図７】第二実施形態のフォーカシングスクリーン作製に於ける水準器埋め込みの様子を示す。
【図８】第二実施形態のフォーカシングスクリーンの正面図である。
【図９】第三実施形態のフォーカシングスクリーン作製に於ける液体注入の様子を示す。
【図１０】第三実施形態のフォーカシングスクリーンの正面図である。
【図１１】カメラの概略図である。
【符号の説明】
１    フォーカシングスクリーン
２    ペンタプリズム
３    接眼レンズ
４    撮影者の瞳
５    フォーカシングスクリーン保持部材
６    撮像面
７    ミラ−
８    撮像レンズ
９    長辺方向水準器
１０  長辺方向水準器の気泡
１１  短辺方向水準器
１２  短辺方向水準器の気泡
１３  格子線
１４  長辺透明部
１５  フレネルレンズ
１６  拡散面
１７  短辺透明部
１８  長辺水準器照明用光源
１９  短辺水準器照明用光源
２０  ファインダ−内撮影情報画面
２１  水準器封止部
２２  長辺凹部
２３  短辺凹部
２４  空気溜まり
２５  液体注入口
２６  全画面水準器
２７  被写体視野画面
２８  水準器９の接着、固定部
２９  基材
３０  画面領域の境界を示す
３１  液体
３２  空洞部
３３  接着剤
３４  気泡
【図１】
2004325789.tif 000003
【図２】
2004325789.tif 000004
【図３】
2004325789.tif 000005
【図４】
2004325789.tif 000006
【図５】
2004325789.tif 000007
【図６】
2004325789.tif 000008
【図７】
2004325789.tif 000009
【図８】
2004325789.tif 000010
【図９】
2004325789.tif 000011
【図１０】
2004325789.tif 000012
【図１１】
2004325789.tif 000013